(57)【特許請求の範囲】
【請求項１】
浴槽の浴水を循環ポンプで汲み上げて循環路を通して循環させて清浄処理、保温処理して浴槽へ戻す浴水循環装置において、循環路に設けられて浴水を常時殺菌するための第１の殺菌手段を備え、更に浴水は、電磁弁によりその流れ方向が制御され、第１の殺菌手段の設けられた循環路から分流されて、第２の殺菌装置として清浄処理後の浴水を無隔膜で電解する電解殺菌装置に取り込み、該電解殺菌装置で取り込んだ浴水に塩分添加部により塩分を添加した浴水を電気分解して殺菌のための塩素を所定量発生させるために前記電解殺菌装置の動作を通電制御する通電制御手段と、所定の時間帯に電解殺菌を行うように設定された開始時刻に殺菌を開始する電解殺菌開始指令手段と、殺菌終了後、通常の浴水循環運転を継続するようにしたこと
を特徴とする電解殺菌装置を有する浴水循環装置。
【請求項２】
請求項１において、前記電解殺菌装置に通電させ、電解殺菌の開始を指令するための電解殺菌始動指令手段が更に配備されたことを特徴とする浴水循環装置。
【請求項３】
請求項１において、前記電解殺菌装置に通電させ、塩素を一定時間発生させるためのタイマー手段と、該タイマー手段の始動を指令するための電解殺菌始動指令手段とが更に配備されたことを特徴とする浴水循環装置。
【請求項４】
請求項２又は３において、電解殺菌装置に塩分を添加する塩分添加部と、電解殺菌始動指令手段からの始動指令信号に応答して塩分添加部よりの供給する塩分量を制御するための塩分添加制御手段とが更に配備されたことを特徴とする浴水循環装置。
【請求項５】
請求項２又は３又は４において、殺菌開始始動指令手段の指令により電解殺菌装置による殺菌を任意の時刻に行うためのクロック手段と、クロック手段を任意の時刻に設定するための時刻設定手段と、設定された時刻を記憶するための設定時刻記憶手段とが更に配備されたことを特徴とする浴水循環装置。
【請求項６】
請求項１又は２又は３又は４又は５において、前記第１の殺菌装置が、オゾン発生装置と、オゾン発生装置制御手段とにより構成されることを特徴とする浴水循環装置。
【請求項７】
請求項１又は２又は３又は４又は５において、前記第１の殺菌装置が、紫外線発生装置と、紫外線発生装置制御手段とにより構成されることを特徴とする浴水循環装置。
【請求項８】
請求項１又は２又は３又は４又は５又は６又は７において、電解殺菌装置による電解殺菌により生成される残留塩素成分を吸着除去するための脱塩素フィルターが更に配備されたことを特徴とする浴水循環装置。
【発明の詳細な説明】
【０００１】
【産業上の利用分野】
本発明は、浴水装置に係り、特に浴水の清浄化装置における浴水の殺菌装置に関するものである。
【０００２】
【従来の技術】
浴槽内の浴水を浄化、殺菌し循環ポンプで循環させ、再び清浄化された浴水を浴槽内へ送る装置が開発されている。
これら装置による浄化、殺菌は、活性炭、麦飯石等によるろ過槽で処理した後、紫外線ランプの内蔵された殺菌槽へ浴水を通過させて殺菌させる紫外線殺菌や高圧放電型のオゾン発生装置を用いてオゾンを発生させ、そのオゾンを浴水へ混入させて殺菌するオゾン殺菌を行っていた。
【０００３】
従来の浴水装置は、上記の様に単に浴水の汚れを取り除くだけではなく、殺菌や加熱保温も同時に行い、２４時間快適に入浴できる浴水装置を提供している。
【０００４】
【発明が解決しようとする課題】
従来の紫外線ランプを用いる殺菌装置では、浴水を殺菌浄化するための時間が長くかかり常に殺菌しなければならないだけでなく、紫外線ランプに水垢等が付着し、その性能を低下させるため、常にランプの清掃を行わなければならなかった。
【０００５】
また、オゾン発生装置や紫外線発生装置による殺菌装置では、雑菌等の殺菌には有効であるものの、人体により浴水に持ち込まれる汗や脂等が原因で発生する異臭の除去には有効な要素ではなかった。
特に人体から分泌される汗等は、浴水にアンモニアやトリチルアミンを発生させ、これら成分の除去が急務であった。
また、これら殺菌装置は、常時殺菌するためのものであり、浴水が急激に汚染された場合や汚れがひどい場合には、殺菌が終了するまで長時間待たなければならなかった。
【０００６】
本発明は、前記したような従来技術の欠点を改良し、入浴者に快適な環境の入浴を行うための装置を提供することにある。
【０００７】
【課題を解決するための手段】
すなわち、本発明は、浴槽の浴水を循環ポンプで汲み上げて循環路を通して循環させて清浄処理、保温処理して浴槽へ戻す浴水循環装置において、循環路に設けられて浴水を常時殺菌するための第１の殺菌手段を備え、更に浴水は、電磁弁によりその流れ方向が制御され、第１の殺菌手段の設けられた循環路から分流されて、第２の殺菌装置として清浄処理後の浴水を無隔膜で電解する電解殺菌装置に取り込み、該電解殺菌装置で取り込んだ浴水に塩分添加部により塩分を添加した浴水を電気分解して殺菌のための塩素を所定量発生させるために前記電解殺菌装置の動作を通電制御する通電制御手段と、所定の時間帯に電解殺菌を行うように設定された開始時刻に殺菌を開始する電解殺菌開始指令手段と、殺菌終了後、通常の浴水循環運転を継続するようにしたことを特徴とする電解殺菌装置を有する浴水循環装置とすることで課題を解決した。
また、前記電解殺菌装置に通電させ、電解殺菌の開始を指令するための電解殺菌始動指令手段が更に配備されたことを特徴とする浴水循環装置とすることで課題を解決した。
また、前記電解殺菌装置に通電させ、塩素を一定時間発生させるためのタイマー手段と、該タイマー手段の始動を指令するための電解殺菌始動指令手段とが更に配備されたことを特徴とする浴水循環装置とすることで課題を解決した。
また、電解殺菌装置に塩分を添加する塩分添加部と、電解殺菌始動指令手段からの始動指令信号に応答して塩分添加部よりの供給する塩分量を制御するための塩分添加制御手段とが更に配備されたことを特徴とする浴水循環装置とすることで課題を解決した。
また、殺菌開始始動指令手段の指令により電解殺菌装置による殺菌を任意の時刻に行うためのクロック手段と、クロック手段を任意の時刻に設定するための時刻設定手段と、設定された時刻を記憶するための設定時刻記憶手段とが更に配備されたことを特徴とする浴水循環装置とすることで課題を解決した。
また、前記第１の殺菌装置が、オゾン発生装置と、オゾン発生装置制御手段とにより構成されることを特徴とする浴水循環装置とすることで課題を解決した。
また、前記第１の殺菌装置が、紫外線発生装置と、紫外線発生装置制御手段とにより構成されることを特徴とする浴水循環装置とすることで課題を解決した。
また、電解殺菌装置による電解殺菌により生成される残留塩素成分を吸着除去するための脱塩素フィルターが更に配備されたことを特徴とする浴水循環装置とすることで課題を解決した。
【０００８】
【実施例】
本発明における機能と基本構成について説明する。
図１は、本発明の外観図である。浴水循環装置Ａには、本体装置前面に液晶パネルにより構成された表示装置９と種々の機能を選択、確定、変更等行うための操作スイッチが設けられている。
使用者は、この操作スイッチおよびキーを操作し、温度の設定等を行う。
また、液晶パネルには、現在の時間や浴水の温度等が表示される。
【０００９】
本発明の内部構造における基本的な構成は、図２および図３に示す如くであり、図２においては、第２の殺菌装置をオゾナイザーによるオゾン殺菌装置でとして、図３においては紫外線殺菌装置として表わす。
【００１０】
浴槽１と浴槽内の浴水を吸い込むとともにごみや髪等を除去するためのプレフィルター２ａと浴水を清浄化するための浄化フィルター部２ｂと、浴水を循環させるための循環ポンプ３と、浴水を加熱する加熱ヒーター５と、浴水を殺菌するための第１の殺菌装置であるオゾナイザー（オゾン発生装置）２８または紫外線ランプ（紫外線殺菌装置）２９と急速殺菌や浴水の異臭除去のための第２の殺菌装置である電解殺菌装置７と、塩分添加部２３と浄化殺菌された浴水を再び浴槽へ戻すための吐出口であるジェットノズル２５により構成されている。
【００１１】
前記電解殺菌装置７の内部は、陽極および陰極を配置した構造の電解槽として形成される。この電解殺菌装置７に、通電を行うと陽極板および陰極板に電流が流れ、浴水が電気分解され、塩素イオンが発生し、浴水中の雑菌等を殺菌し、また脱臭作用により浴水の異臭を除去する。
【００１２】
図４は、本発明における装置の制御ブロック図である。図５は、第１の殺菌装置を紫外線殺菌装置、図６はオゾナイザーとして示す機能ブロック図である。本発明の請求項１の実施例の説明を図７のフローチャート図に基づいて説明する。
【００１３】
浴水循環装置Ａは、Ｓ１でまず浴水循環装置本体Ａの電源スイッチ１０により電源を投入し、運転を開始する。Ｓ２は、電源が投入されたことにより循環ポンプ制御部３ａにより循環ポンプ３の駆動が指示され、これにより浴水装置の浴水が循環される。
【００１４】
Ｓ３は、ゴミや汚れ等により浄化フィルター２ｂや浴水循環のための配管が目詰まりしていないかを確認するための流量センサー４が設置され、その流量を検出する。流量センサー４で検出された流量が適正であるかをＴ１で確認し、正常である場合（ＹＥＳ）は、Ｓ４へ、目詰まり等で適正流量でない場合（ＮＯ）は、Ｓ１２へ行く。
【００１５】
Ｓ１２では、異常が発生したことを確認して、各電気制御部の通電を停止する。流量の異常は、流量が適正値より少なくなる場合と多くなる場合とがある。
少なくなる場合の原因としてはフィルターの目詰まり等があげられ、これにより循環ポンプに過負荷がかかるため、ポンプの異常加熱等により故障が発生する。
【００１６】
また、流量が多くなる原因には、管路等に穴があき、漏水していることが上げられる。
これにより、装置内部に浴水がかかり、故障や漏電の原因となる。
【００１７】
Ｓ１３では、浴水循環装置に設置された液晶パネルで構成された表示装置９に表示したり、警告ブザー等で流量に異常が発生したことを使用者に警告する。
Ｔ６では、異常が解除されたかを確認し、異常が解除された場合には、プログラムは再びＳ２へ行き、循環ポンプの駆動が開始される。
【００１８】
Ｓ４では、加熱ヒーター５による加熱が行われる。加熱装置は、シーズヒーター等で構成されており、Ｓ５では、その浴水温度を配管に設けられた温度センサー６によって検知し、温度設定キー６ａにより設定された温度より低い場合は、加熱制御用リレースイッチ５ａより信号を送り、ヒーター５のスイッチを入れ加熱する。
【００１９】
浴水の温度が高い場合は、ヒーター５のスイッチはＯＦＦされ、浴水の温度調節が行われる。
【００２０】
また、浴水の温度が設定範囲を越えた場合には、ヒーターの異常加熱等のためＳ６で異常が発生したことを確認し、流量の異常発生の場合と同様にＳ１３で警告する。設定された浴水の適正温度範囲内であれば、プログラムは電解殺菌を開始するためＳ６へ行く。
【００２１】
浴水は、電磁弁３０によりその流れ方向が制御され、電解殺菌装置７と紫外線殺菌装置２９へ分流される。
Ｓ６では、電解殺菌装置７に一定電流が供給され、電解殺菌装置７の陽極および陰極の電極板により浴水が電気分解される。
Ｓ７では、電極板に通電する電流を電流センサー８により検出し、Ｔ３で電流値が適正であるか判断を行う。
【００２２】
漏電等により所定の電流より多く流れた場合には、浴水流量異常や加熱異常と同様にＳ１２へ行き異常が発生したことを確認し、通電を停止する。
次にＳ１３で前記流量の異常やヒーターの異常と同様に表示装置９に警告を表示する。
【００２３】
電流量は、人体に全く影響のない範囲の電流を使用するが、漏電等装置に異常が発生した場合には、安全のため警告表示より前にその通電を停止させる。
Ｔ６で漏電等の異常が確認され、その異常が解除されるとプログラムは、Ｓ２へ戻る。
【００２４】
Ｓ８で電流値に異常がないことが確認されると、電解殺菌が開始される。
Ｓ９では、通常殺菌のための紫外線殺菌用のランプへの通電が行われる。Ｓ１０では、紫外線ランプへの通電に異常がないか、電流センサーによる電流値の検出が行われる。
【００２５】
Ｔ４では、紫外線ランプの保護管が割れていたりすることによる、漏電が発生した場合等では、他の異常の場合と同様にＳ１２へ行き、通電が停止される。
異常がない場合には、そのままＳ１１へ行き紫外線による殺菌が開始される。
浴水循環装置の運転は、Ｔ５において浴水循環装置本体Ａの電源スイッチ１０が切られるまで継続される。
【００２６】
次に請求項２の実施例の機能を図５の機能ブロック図に基づいて説明する。
本発明の内部の基本的構成は、図３に示すものであり、浴水を清浄化する浄化フィルター２ｂと、浴水を加熱する加熱ヒーター５と、浴水を循環させる循環ポンプ３と、浴水を常時殺菌するための紫外線殺菌装置２９と急速殺菌を行うための電解殺菌装置７とで構成されている。
【００２７】
ここでは、電解殺菌時間をコントロールするためのに、その開始を指令するための電解始動指令スイッチ１２が設けられている。
電解始動指令スイッチ１２は、図１に示す操作スイッチの１つとして形成されている。
【００２８】
本発明の動作を図８および図９のフローチャート図により、説明する。
浴水循環装置Ａは、Ｓ１４でまず浴水循環装置本体Ａの電源スイッチ１０により電源を投入し、運転を開始する。Ｓ１５は、電源が投入されたことにより循環ポンプ３が駆動し、これにより浴水装置の浴水が循環される。
【００２９】
Ｓ１６では、ゴミや汚れ等により配管が目詰まりしていないかを確認するための流量センサー４が設置され、その流量を検出する。流量センサー４で検出された流量が適正であるかをＴ７で確認し、正常である場合（ＹＥＳ）は、Ｓ１７へ、目詰まり等で適正流量でない場合（ＮＯ）は、Ｓ２３へ行く。
【００３０】
Ｓ２３では、異常が発生したことを確認して、各電気制御部の通電を停止する。Ｓ２４では、浴水循環装置に設置された液晶パネルで構成された表示装置９に表示したり、警告ブザー等で流量に異常が発生したことを使用者に警告する。
Ｔ１２では、異常が解除されたかを確認し、異常が解除された場合には、プログラムは再びＳ１５へ行き、循環ポンプの駆動が開始される。
【００３１】
Ｓ１７では、加熱ヒーター５による加熱が行われる。Ｓ５では、その浴水温度を配管に設けられた温度センサー６によって検知し、温度設定キー６ａにより設定された温度より低い場合は、加熱制御用リレースイッチ５ａより信号を送り、ヒーター５のスイッチを入れ加熱する。
【００３２】
浴水の温度が高い場合は、ヒーター５のスイッチはＯＦＦされ、浴水の温度調節が行われる。
また、浴水の温度が設定範囲を越えた場合には、ヒーターの異常加熱等のためＳ６で異常が発生したことを確認し、流量の異常発生の場合と同様にＳ２４で警告する。
【００３３】
設定された浴水の適正温度範囲内であり、正常であれば、プログラムは電解殺菌を開始をするか、確認のためＴ９へ行く。
Ｔ９で、通常殺菌のみの場合には、そのままＳ２０へ行き、紫外線による殺菌を行う。
【００３４】
電解殺菌を行う場合には、ＹＥＳとなり、電解殺菌選択のサブルーチンへ行く。電解殺菌ルーチンは、図９に示すフローチャートで表わされる。
【００３５】
Ｓ２５で電解殺菌の始動スイッチ１２がＯＮされると、Ｓ２６で電解殺菌装置への通電が開始され、電解殺菌装置７に一定電流が供給されることにより、電解殺菌装置７の陽極および陰極の電極板により浴水が電気分解される。
Ｓ２７では、電極板に通電する電流を電流センサー８により検出し、Ｔ１３で電流値が適正であるか判断を行う。
【００３６】
漏電等により所定の電流より多く流れた場合には、異常発生のためＳ３０へ行き、通電を停止する。
次にＳ３１で前記流量の異常やヒーターの異常と同様に表示装置９に警告を表示する。
【００３７】
Ｔ１５で漏電等の異常が確認され、その異常が解除されるとプログラムは、Ｓ２７へ戻る。
Ｔ１３で電流値に異常がないことが確認されると、Ｓ２８で電解殺菌が開始される。電解殺菌は、Ｔ１４で殺菌終了が選択されるまで電解殺菌は継続される。
【００３８】
殺菌終了の選択の形態は、始動指令スイッチ１２が押されている間稼動するものや、再び始動指令スイッチ１２を押すことにより終了させるもの、および別スイッチとして形成することも可能である。
【００３９】
Ｔ１４で殺菌終了の選択がなされると、Ｓ２９で殺菌装置への通電が停止され電解殺菌は終了する。
これにより、プログラムは、再び図８に示すフローチャートへ行く。
【００４０】
Ｓ２０では、通常殺菌のための紫外線殺菌用のランプへの通電が行われる。Ｓ２１では、紫外線ランプへの通電に異常がないか、電流センサーによる電流値の検出が行われる。Ｔ１０では、紫外線ランプの保護管が割れていたりすることによる、漏電が発生した場合等では、他の異常の場合と同様にＳ２３へ行き、通電が停止される。
【００４１】
異常がない場合には、そのままＳ２２へ行き紫外線による殺菌が開始される。
浴水循環装置の運転は、Ｔ１１において浴水循環装置本体Ａの電源スイッチ１０が切られるまで継続される。
【００４２】
次に請求項３の実施例について説明する。本装置の基本的な動作は、図８に示すフローであり、内容については既に説明してあるので省略する。本発明を図１０のフローチャート図により、その動作を説明する。
【００４３】
Ｓ３２で電解殺菌のルーチンに移行する。ここでは、使用者が任意の時間に殺菌を行う場合に、電解殺菌始動スイッチ１２をＯＮ操作する。
Ｓ３３では、電解殺菌装置７の始動スイッチの入力信号に応答して、電解殺菌装置に通電が開始される。
【００４４】
Ｓ３４では、殺菌装置への電流値が正常な値かを確認するために、電流センサー８で電流値の検出がされる。
検出された値に対し、Ｔ１６で電流値が比較され正常であればＳ３５へ行く。
【００４５】
Ｓ３５では、前記電解殺菌始動スイッチ１２の操作に伴い装置に内蔵されたタイマー１５が作動し、Ｓ３６で作動時間の計測が行われる。
タイマー装置が作動すると、Ｓ３７で、電解殺菌装置７に通電制御用リレースイッチ１１より通電のための信号が送られ、通電が開始される。
【００４６】
通電が開始されると、電解殺菌装置７の内部に設けられた電解槽の各電極板により浴水が電気分解され、塩素が発生し、その塩素が浴水と混合され浴槽へ供給され、殺菌が行われる。
【００４７】
Ｔ１７では、タイマー１５により電解殺菌に必要な、あらかじめ設定された時間を計測し、その時間が経過したかを検出する。
設定時間になった場合には、Ｓ３８で電解殺菌のための通電を停止し、設定時間に満たない場合には、再びＳ３６へ行き時間の計測とともに電解殺菌は継続される。
【００４８】
Ｓ３８で通電が停止されると、プログラムは図８のフローへ戻る。
Ｓ２０では、通常殺菌のための紫外線殺菌用のランプへの通電が行われる。Ｓ２１では、紫外線ランプへの通電に異常がないか、電流センサーによる電流値の検出が行われる。
【００４９】
Ｔ１０では、紫外線ランプの保護管が割れていたりすることによる、漏電が発生した場合等では、他の異常の場合と同様にＳ２３へ行き、通電が停止される。
異常がない場合には、そのままＳ２２へ行き紫外線による殺菌が開始される。
浴水循環装置は、電解殺菌終了後も循環、瀘過、紫外線殺菌等の運転は行われ、Ｔ１１で装置の運転停止が選択されるまで、連続的に運転される。
【００５０】
次に請求項４の実施例について基づいて説明する。本装置の基本的な動作は、図８に示すフローであり、内容については既に説明してあるので省略する。
本発明を図１１のフローチャート図により、その動作を説明する。
【００５１】
Ｓ１９で電解殺菌ルーチンへ移行する。Ｓ４１では、使用者が任意の時間に殺菌を行う場合に、電解殺菌始動スイッチ１２をＯＮ操作する。
Ｓ４２では、電解殺菌装置７の始動スイッチの入力信号に応答して、電解殺菌装置に通電が開始される。
【００５２】
Ｓ４３では、殺菌装置への電流値が正常な値かを確認するために、電流センサー８で電流値の検出がされる。
検出された値に対し、Ｔ１９で電流値が比較され正常であればＳ４４へ行く。
【００５３】
Ｓ４４では、電解殺菌装置７の始動スイッチの入力信号に応答して、塩分添加部２３の電磁弁よりなる塩分添加調節弁２２が開放される。
入力信号を受けた塩分添加調節弁２２が開放されると、Ｓ４５では食塩を収納した塩分添加部２３より電解殺菌装置７へ塩分が供給される。
【００５４】
Ｓ４６は、添加する塩分の量を調節するために１回分の量を供給すると、前記塩分添加調節弁２２が閉鎖する。
Ｓ４７は、前記電解殺菌始動開始スイッチの操作にともない、本体装置Ａに内蔵されたタイマー１５が作動し、Ｓ４８でその時間計測が行われる。
【００５５】
タイマー１５が作動すると、Ｓ４９で、電解殺菌装置７に通電制御用リレースイッチ１１がＯＮになり、電解殺菌がＳ４９で開始する。
電解殺菌装置７の内部に設けられた電解槽の各電極板により浴水が電気分解され、塩素が発生し、その塩素が浴水と混合され浴槽へ供給され、殺菌が行われる。
【００５６】
Ｔ２０では、タイマー１５により電解殺菌に必要な、あらかじめ設定された時間を計測し、その時間が経過したかを検出する。
タイマー終了時間になった場合（ＹＥＳ）には、Ｓ５０で電解殺菌のための通電を停止し、図８に示すフローチャート図へ戻る。終了時間に満たない（ＮＯ）場合には、再びＳ４８へ行き時間の計測とともに電解殺菌は継続される。
【００５７】
Ｓ２０では、通常殺菌のための紫外線殺菌用のランプへの通電が行われる。
Ｓ２１では、紫外線ランプへの通電に異常がないか、電流センサーによる電流値の検出が行われる。
【００５８】
Ｔ１０では、紫外線ランプの保護管が割れていたりすることによる、漏電が発生した場合等では、他の異常の場合と同様にＳ２３へ行き、通電が停止される。
異常がない場合には、そのままＳ２２へ行き紫外線による殺菌が開始される。
浴水循環装置は、電解殺菌終了後も循環、瀘過、紫外線殺菌等の運転は行われ、Ｔ１１で装置の運転停止が選択されるまで、連続的に運転される。
【００５９】
次に請求項５の実施例について図１２のフローチャート図により、その動作を説明する。
Ｓ５３で浴水循環装置の電源１０が投入されると本体装置Ａは駆動する。電源投入と同時に装置にＳ５４では、内蔵された時計１７に電源が投入され時計機能が開始される。Ｓ５５で時計１７は、投入時の状況に対応する時間等の情報を表示装置９に表示する。
【００６０】
使用者は、その表示を確認し、Ｔ２２で時刻が誤っている場合には、Ｓ７０でクロック設定キー１６により正しい時刻にリセットし、時計１７を正常な状態にする。
次にＴ２３で、使用者は、自分の所望する殺菌の開始時刻が既に設定されている場合には、そのまま次の工程に進み、新規に設定する場合には内蔵時計設定キー１６による入力によりＳ５６で設定を行う。
【００６１】
時刻はＳ５７で浴水循環装置の表示装置９に表示され、使用者はその表示を確認しながら設定する。
Ｔ２４では、開始時刻を確定するかを確認し、確定の場合には、ＹＥＳを、再度設定する場合にはＮＯを選択する。
【００６２】
確定されるとＳ５８で殺菌開始時刻は、電解殺菌時刻記憶メモリー部（ＲＡＭ）１８に記憶される。
Ｓ５９では、装置本体Ａに内蔵された時計の時刻を計測する。ここにいう計測とは、通常の目覚まし時計と同じように本装置に内蔵された時計が駆動するものである。Ｓ６０で、浴水循環装置の循環ポンプ、加熱ヒーター等の運転が開始される。
【００６３】
Ｓ６１で、紫外線殺菌への通電が開始され、電解殺菌とは別に浴水の殺菌を行う。Ｔ２５では、電解殺菌装置７の電解開始時刻になったかを確認する。これは、Ｓ７０における内蔵された時計による時間の計測がＳ５９で設定された設定時刻と同じになったことを意味し、同じになった場合には、Ｓ６２にプログラムは移行する。
【００６４】
Ｓ６２では、電解殺菌装置７の始動スイッチの入力信号に応答して、塩分添加部２３の電磁弁よりなる塩分添加調節弁２２が開放される。
入力信号を受けた塩分添加調節弁２２が開放されると、Ｓ６３では食塩を収納した塩分添加部２３より電解殺菌装置７へ塩分が供給される。
【００６５】
Ｓ６４は、添加する塩分の量を調節するために１回分の量を供給すると、前記塩分添加調節弁２２が閉鎖する。
電解殺菌の開始に伴いＳ６５で、タイマー１５が作動する。このタイマー１５は、電解殺菌の時間をコントロールのためのものである。
タイマー１５が作動するとＳ６６でタイマーの時間計測が行われる。
【００６６】
Ｓ６７では、電解殺菌装置７に通電が行われ、殺菌が開始する。Ｔ２６では電解殺菌装置７に通電する電流値の測定を行い、適正な電流であるかを判断する。
電流値が正常である場合には、そのままＴ２７へ行き、タイマー１５に設定されている時間が経過したか判断する。
【００６７】
Ｔ２７での計測値と設定されている所定の時間とが同じになった場合に、Ｓ６８へ行き、電解殺菌装置７への通電が停止され、Ｓ６９で電解殺菌は終了する。
浴水循環装置の運転を継続する場合には、プログラムは、Ｓ５９へ戻り、次の電解殺菌開始時刻が来るまで、浴水循環、加熱、紫外線殺菌等のための運転がなされる。
【００６８】
Ｔ２９で浴水循環装置の運転を終了するため本体Ａの電源が切られると、本装置はすべて停止する。
【００６９】
次に請求項６の実施例について図１３のフローチャート図により、その動作を説明する。Ｓ８１までは、図１２と内容が同じため説明は省略する。
Ｓ８１で、浴水循環装置の循環ポンプ、加熱ヒーター等の運転が開始される。
【００７０】
Ｓ８２で、オゾナイザーへの通電が開始され、電解殺菌とは別に浴水の殺菌を行う。オゾンによる殺菌は、常時行われ、入浴者が入浴モードスイッチを選択すると一旦停止する。
Ｔ３３では、電解殺菌装置７の電解開始時刻になったかを確認し、同じになった場合には、Ｓ８３にプログラムは移行する。
【００７１】
Ｓ８３では、電解殺菌装置７の始動スイッチの入力信号に応答して、塩分添加部２３の電磁弁よりなる塩分添加調節弁２２が開放される。
入力信号を受けた塩分添加調節弁２２が開放されると、Ｓ８４では食塩を収納した塩分添加部２３より電解殺菌装置７へ塩分が供給される。
【００７２】
Ｓ８５では、塩分添加調節弁２２が閉鎖する。電解殺菌の開始に伴いＳ８６で、タイマー１５が作動する。
タイマー１５が作動するとＳ８７でタイマーの時間計測が行われる。
【００７３】
Ｓ８８では、電解殺菌装置７に通電が行われ、殺菌が開始する。Ｔ３４では電解殺菌装置７に通電する電流値の測定を行い、適正な電流であるかを判断する。
電流値が正常である場合には、そのままＴ３５へ行き、タイマー１５に設定されている時間が経過したか判断する。
【００７４】
Ｔ３５で所定の時間になった場合には、Ｓ８９へ行き、電解殺菌装置７への通電が停止され、Ｓ９０で電解殺菌は終了する。
浴水循環装置の運転を継続する場合には、プログラムは、Ｓ８０へ戻り、次の電解殺菌開始時間が来るまで、浴水循環、加熱、オゾン殺菌等のための運転がなされる。
【００７５】
Ｔ３６で浴水循環装置の運転を終了するため本体Ａの電源が切られると、本装置はすべて停止する。
【００７６】
本発明の請求項８の実施例の説明を図１４の機能ブロック図に基づいて説明する。
発明の基本的構成は、浴槽１と浴水を清浄化するための浄化フィルター２と、浴水を循環させるための循環ポンプ３と、浴水を加熱する加熱ヒーター５と、浴水を殺菌する電解殺菌装置７と電解殺菌装置７における電解効率を上げるための塩分添加部２３と、オゾン殺菌装置２８または紫外線殺菌装置２９で構成されている。
【００７７】
浄化フィルター２ｂは、浴水の汚れを除去するための通常フィルター２６と浴水中のトリハロメタンを除去するための脱塩素フィルター２７により構成されている。
【００７８】
浴水循環装置において、運転が開始されると、電解殺菌装置７により浴水の殺菌が開始される。浴水は、電解殺菌装置７により浴水を電気分解し、それにともなって発生する塩素を浴水に混入する。混入された浴水は、浴槽１に浴水と噴出され、浴槽内の浴水と混合し、浴水の塩素殺菌が行なわれる。
浴水に混入した塩素成分は、異臭の原因となるタンパク質や尿成分を除去し、清潔かつ安全な浴水を生成する。
【００７９】
浄化フィルター２における通常フィルター２６は、通常の汚れを除去するためのものであり、塩素除去フィルター２７は、電解殺菌後の浴槽内の残留塩素を除去し、入浴時における塩素臭の除去を行うためのものである。この脱塩素フィルターは、亜硫酸カルシウムや過酸化ニッケルや活性炭等から構成され、効果的に浴水中に発生するトリハロメタンを除去するものである。
【００８０】
【発明の効果】
以上説明したように請求項１では、本発明を用いた装置を使用することにより、脱臭効果が高く、従来では、浴水より異臭が発生した場合には、浴水を交換しなければならない等の作業がなくなり経済的にも効果が発揮される。
電解殺菌は、殺菌処理時間が短くても異臭除去には極めて高い効果があり、急速な殺菌や異臭防止に適している。また、オゾン殺菌や紫外線殺菌は、雑菌除去や塩素臭等を発生しないために常時殺菌する場合に適している。
本発明は、これら電解殺菌装置の長所を効果的かつ効率的に行うためのものであり、食塩などを電解殺菌装置に添加供給し、塩素発生効率を高めることにより、電解殺菌を有効に行えるものである。
また、請求項２の発明では、電解殺菌の開始時期を任意に操作でき、異臭が発生したり、浴水を誤って汚した場合等における急速殺菌が行える。
請求項３の発明は、電解殺菌の開始指令とともにタイマーが作動し、一定時間殺菌が行える。
請求項４の発明では、電解殺菌の開始時期の操作とともに、電解殺菌指令に対応して食塩が添加されることにより効率のよい殺菌ができる。
請求項５の発明では、電解殺菌の開始時刻を本体に内蔵した時計とリンクさせるために、各家庭毎の入浴者数に対応した、殺菌が行えるものである。
請求項６の発明では、第２の殺菌装置をオゾン殺菌装置としたために、通常の使用形態ではオゾン殺菌を使用し、急速殺菌および異臭除去の場合には電解殺菌による殺菌が行える。
請求項７の発明では、電解殺菌と紫外線殺菌装置との組合せることにより、紫外線殺菌装置を小型化でき、電解殺菌装置７によって、塩素成分を含んだ浴水が紫外線殺菌装置へ供給されるため、これら殺菌効率を低下させる水垢等の付着物分解除去する効果が期待できる。
請求項８の発明では、上記請求項１から７までの装置に浄化フィルターの他に脱塩素フィルターを設けたことにより、浴水中の塩素臭やトリハロメタンを除去することができ、塩素殺菌に対応した安全な装置にしたものである。
【図面の簡単な説明】
【図１】本発明の一実施例を示す外観図
【図２】本発明の一実施例の装置内部を示す機構図
【図３】本発明の一実施例の装置内部を示す機構図
【図４】本発明の一実施例を示す制御ブロック図
【図５】本発明の一実施例を示す機能ブロック図
【図６】本発明の一実施例を示す機能ブロック図図
【図７】本発明の一実施例を示す浴水殺菌フローチャート図
【図８】本発明の一実施例を示す浴水循環フローチャート図
【図９】本発明の一実施例を示す電解殺菌フローチャート図
【図１０】本発明の一実施例を示す電解殺菌フローチャート図
【図１１】本発明の一実施例を示す電解殺菌フローチャート図
【図１２】本発明の一実施例を示すフローチャート図
【図１３】本発明の一実施例を示すフローチャート図
【図１４】本発明の一実施例を示すブロック図
【符号の説明】
Ａ：浴水循環装置、Ｂ：制御部（ＣＰＵ）、１：浴槽、２：浄化フィルター、２ａ：プレフィルター３：循環ポンプ、３ａ：循環ポンプ制御手段、４：流量センサー、５：加熱ヒーター、５ａ：加熱制御手段、６：温度センサー、６ａ：温度設定キー、６ｂ：温度記憶部、６ｃ：温度比較部手段、７：電解殺菌装置、
８：電流センサー、９：液晶表示装置、１０：浴水循環装置電源スイッチ、１１：通電制御手段（リレースイッチ）、１２：電解殺菌開始指令スイッチ、１５：タイマー、１６：クロック（内蔵時計）設定キー、１７：クロック手段内蔵時計、１８：殺菌開始時刻記憶メモリー（ＲＡＭ）、１９：開始時刻設定キー、２２：塩分添加制御用調節弁、２３：塩分添加部、２５：ジェットノズル、２６：通常フィルター部、２７：脱塩素フィルター部、２８：オゾン殺菌装置、２９：紫外線殺菌装置、３０：電磁弁、３１：オゾン殺菌制御手段、３２：紫外線殺菌制御手段、３３：浴水方向制御用電磁弁
【図１】
0003672613.tif 000002
【図２】
0003672613.tif 000003
【図３】
0003672613.tif 000004
【図４】
0003672613.tif 000005
【図５】
0003672613.tif 000006
【図６】
0003672613.tif 000007
【図７】
0003672613.tif 000008
【図８】
0003672613.tif 000009
【図９】
0003672613.tif 000010
【図１０】
0003672613.tif 000011
【図１１】
0003672613.tif 000012
【図１２】
0003672613.tif 000013
【図１３】
0003672613.tif 000014
【図１４】
0003672613.tif 000015